(57)【要約】【課題】貯水タンクの重心バランスを均一にしながら、貯水タンクに残水が発生することを抑制する水洗大便器を提供する。【解決手段】ボウル部を有する便器本体と、貯水タンクと、排水トラップ管路と、排水トラップ管路の上方に貯水タンクを支持する支持部材と、を有し、貯水タンクは排水トラップ管路の左右方向の一側方、左右方向の他側方、及び上方を覆うように設けられ、貯水タンクの底面には水抜き部が形成されている。【選択図】図５
2019173315.tif 000002
【特許請求の範囲】
【請求項１】
水洗大便器であって、
ボウル部を有する便器本体と、
前記便器本体の後方に配置され、洗浄水を内部に貯水する貯水タンクと、
前記貯水タンクの外部に配置され前記貯水タンクの洗浄水を前記便器本体に供給するためのポンプ本体と、
前記ボウル部の下方の排水口と接続され、前記便器本体の左右方向の中央に形成された前後方向に延びる排水トラップ管路と、
前記排水トラップ管路の上方に配置され、前記貯水タンクを支持する支持部材と、
を有し、
前記貯水タンクは前記排水トラップ管路の左右方向の一側方、左右方向の他側方、及び上方を覆うように設けられ、前記貯水タンクの底面には水抜き部が形成されていることを特徴とする水洗大便器。
【請求項２】
前記貯水タンクの水を吸入して前記ポンプ本体によって送水するための吸入口を有し、前記貯水タンクの一側方及び他側方に前記吸入口が配置されていることを特徴とする請求項１に記載の水洗大便器。
【請求項３】
前記ポンプ本体は前記貯水タンクの上面に配置され、前記ポンプ本体は、前記支持部材の上方に位置することを特徴とする請求項１又は２に記載の水洗大便器。
【請求項４】
前記貯水タンクは、左右方向の一方側よりも他方側の容量のほうが大きく構成され、前記ポンプ本体は、左右方向の中心よりも一方側に配置されることを特徴とする請求項３に記載の水洗大便器。
【請求項５】
前記水抜き部は、前記貯水タンクの左右方向の一方側及び他方側に設けられていることを特徴とする請求項１乃至４に記載の水洗大便器。
【発明の詳細な説明】
【技術分野】
【０００１】
本発明は、水洗大便器に関し、特に貯水タンクを備えた水洗大便器に関する。
【背景技術】
【０００２】
従来の水洗大便器において、水道から供給された洗浄水を貯水タンクに貯水しておき、便器洗浄時に貯水タンク内の洗浄水をポンプにより加圧して水洗大便器に供給するものが知られている。
【０００３】
特許文献１に記載の水洗大便器は、便器本体の後方側に配置された貯水タンクが、排水トラップ管路の側方に配置されており、貯水タンクに貯水された洗浄水は加圧ポンプによって便器本体側へと送水される。このような水洗大便器においては、排水トラップ管路よりも後方の領域に貯水タンクが突出することを抑制して水洗大便器の前後方向の長さを抑制することができる。
【０００４】
また、特許文献２に記載の水洗大便器においては、排水トラップ管路と接続される排水ソケットの周囲を取り囲む形状とすることによりデッドスペースが少なくなり、便器本体の下部及び後部のスペースを最大限に利用することができる。これにより、大便器全体をローシルエットに構成し、大便器全体のコンパクト化を実現している。
【先行技術文献】
【特許文献】
【０００５】
【特許文献１】特開２００８−８２０３２号公報
【特許文献２】特開２０１５−１７５１４５号公報
【発明の概要】
【発明が解決しようとする課題】
【０００６】
ここで、特許文献１の貯水タンクにおいては、排水トラップ管路の片側一側方から排水トラップ管路の上方に渡って設けられているため、貯水タンクの重心バランスが悪く貯水タンクの姿勢がずれてしまう。これにより貯水タンクを覆う筐体等のずれを引き起こしてしまい外観意匠性に影響が生じる可能性がある。
【０００７】
また、先行文献２の貯水タンクにおいては、排水トラップ管路より下方の領域のデッドスペースを有効的に利用できるものの、貯水タンク底面が床面と接しているため、貯水タンクの水を抜く必要が生じた際などには水が完全に抜けきらず残水が生じる懸念がある。
【０００８】
そこで、本発明は、上述した課題を解決するためになされたものであり、貯水タンクの重心バランスを均一にしながら、貯水タンクに残水が発生することを抑制する水洗大便器を提供することを目的とする。
【課題を解決するための手段】
【０００９】
上記目的を達成するために、本発明の一様態に係る水洗大便器によれば、水洗大便器であって、ボウル部を有する便器本体と、便器本体の後方に配置され、洗浄水を内部に貯水する貯水タンクと、貯水タンクの外部に配置され貯水タンクの洗浄水を便器本体に供給するためのポンプ本体と、ボウル部の下方の排水口と接続され、便器本体の左右方向の中央に形成された前後方向に延びる排水トラップ管路と、排水トラップ管路の上方に配置され、貯水タンクを支持する支持部材と、を有し、貯水タンクは排水トラップ管路の左右方向の一側方、左右方向の他側方、及び上方を覆うように設けられ、貯水タンクの底面には水抜き部が形成されている。
【００１０】
このように構成された本発明においては、便器本体の後方に配置された貯水タンクが、排水トラップ管路の両側方及び上方を覆うように形成されているため、排水トラップ管路の両側方のスペースを有効に活用することができる。これにより、貯水タンクの容量を確保でき、水洗大便器全体の小型化を実現することができる。
また、排水トラップ管路の両側方及び上方を覆うように形成されているため、排水トラップ管路上部の支持部材を支点として、貯水タンクの重心バランスを安定させることができる。さらに、床面よりも上方に位置する貯水タンクの底面には水抜き部が形成されているため、水抜きも容易である。
【００１１】
また本発明の一様態においては、貯水タンクの水を吸入してポンプ本体によって送水するための吸入口を有し、貯水タンクの一側方及び他側方に吸入口が配置されている。
【００１２】
このように構成された本発明においては、貯水タンクは排水トラップ管路を挟んで両側方に設けられており、排水トラップ管路の上方よりも水位が低下した際でも、両側方に設けられた吸入口から洗浄水を送水することができる。これにより、両側方において均等に洗浄水が減っていくため、洗浄工程において貯水タンク両側方の貯水量が変化することによる重心バランスの変化を抑制することができる
【００１３】
また本発明の一態様においては、ポンプ本体は貯水タンクの上面に配置され、ポンプ本体は、支持部材の上方に位置する。
【００１４】
このように構成された本発明においては、上方からはポンプ本体、下方からは支持部材によって貯水タンクを確実に支持することができるため、貯水タンクの姿勢を維持することができる。
【００１５】
また本発明の一態様においては、貯水タンクは、左右方向の一方側よりも他方側の容量のほうが大きく構成され、ポンプ本体は、左右方向の中心よりも一方側に配置される。
【００１６】
このように構成された本発明においては、貯水タンクを一方側と他方側で非対称に形成しても、重量の小さい側にポンプ本体を配置するため、重心バランスが安定する。すなわち、貯水タンクの一方側と他方側の形状を異ならせて貯水タンク以外のスペースの設計自由度を向上させても、安定した配置が可能となる。
【００１７】
また本発明の一態様においては、水抜き部は、貯水タンクの左右方向の一方側及び他方側に設けられている。
【００１８】
このように構成された本発明においては、貯水タンクの一方側及び他方側に水抜き部が形成されているため、このようなタンク形状としても確実に貯水タンクに残水が発生することを抑制することができる。
【発明の効果】
【００１９】
本発明によれば、貯水タンクの重心バランスを均一にしながら、貯水タンクに残水が発生することを抑制する水洗大便器を提供することができる。
【図面の簡単な説明】
【００２０】
【図１】本発明の一実施形態における水洗大便器の右側面図である。
【図２】本発明の一実施形態における水洗大便器の左側面図である。
【図３】本発明の一実施形態における水洗大便器の上面図である。
【図４】本発明の一実施形態における水洗大便器を後方斜め上から見た斜視図である。
【図５】本発明の一実施形態における水洗大便器を図３のＩ−Ｉ線から見た断面図である。
【発明を実施するための形態】
【００２１】
以下では、本明細書に開示する発明の実施の形態について図面を用いて詳細に説明する。以下の説明から、当業者にとって、本発明の多くの改良や他の実施の形態が明らかである。従って、以下の説明は、例示としてのみ解釈されるべきであり、本発明を実行する最良の態様を当業者に教示する目的で提供されたものである。本発明の精神を逸脱することなく、その構造及び／又は機能の詳細を実質的に変更することができる。
【００２２】
まず、図１に示すように、本発明の一実施形態による水洗大便器１は、便器本体２と、便器本体２の上面に配置された便座４と、便座４を覆うように配置されたカバー６と、便器本体２の後方上部に配置された局部洗浄装置８と、を有する。また、便器本体２の後方には、貯水タンク１０が配置されており（図２参照）、この貯水タンク１０はサイドパネル１０ａにより覆われている。
【００２３】
便器本体２は陶器製であり、汚物を受けるボウル部１２と、このボウル部１２の底部から延びる排水トラップ管路１４と、ジェット吐水を行うジェット吐水口１６と、リム吐水を行うリム吐水口１８が形成されている。排水トラップ管路１４は、ボウル部１２の底部から後方、斜め上方に延びた後、下方に向かって延びて排水管Ｄに接続されている。ジェット吐水口１６は、ボウル部１２の下部に形成されており、排水トラップ管路１４の入口に向けて洗浄水を吐出するように構成されている。リム吐水口１８は、ボウル部１２の左側上部後方に形成されており、ボウル部１２の縁に沿って洗浄水を吐出するように構成されている。
【００２４】
なお、本実施形態においては、ジェット吐水口１６及びリム吐水口１８を備えた便器本体２を示すが、これに限るものではなく、例えばリム吐水口１８のみで吐水を行うものでもよく、吐水形態に応じて当業者は適宜変更可能である。
【００２５】
本発明の一実施形態による水洗大便器１は、図示は省略するが、洗浄水を供給する水道から貯水タンク１０に洗浄水が供給される。図２及び図３に示すように、貯水タンク１０に供給された洗浄水は、洗浄水を加圧するポンプ本体２０によってジェット側供給部材２２及びリム供給部材側２４からジェット吐水口１６及びリム吐水口１８に洗浄水が供給される。
【００２６】
なお、本発明の実施形態では、ジェット側供給部材２２及びリム側供給部材２４がそれぞれ独立した形態を示したが、ポンプ本体２０より下流側でそれぞれの流路に分岐するように構成してもよい。その場合には、流路切替を行う電磁弁等を設けることが好ましい。当業者は吐水形態や洗浄工程に応じて適宜変更可能である。
【００２７】
なお、本明細書において、図３に示す通り、使用者から見て、便器本体２の前側が「前方向」、便器本体２の後側が「後方向」である。また、使用者が前方から便器に向かって右側が「右方向」、前方から便器に向かって左側が「左方向」である。本明細書における「前後方向」とは前方向又は後方向に向かう方向を指し、「左右方向」とは右方向又は左方向に向かう方向を指している。
【００２８】
次に、図４及び図５を参照して、本発明の一実施形態における貯水タンク１０について説明する。図４は、本発明の一実施形態における水洗大便器１を後方から見た斜視図である。図５は、図３のＩ−Ｉ線から見た断面図である。
【００２９】
図４及び図５を参照すると、貯水タンク１０は便器本体２の後方に配置されており、排水トラップ管路１４を上方から跨ぐように凹状に形成されている。また、貯水タンク１０の上面には、ポンプ本体２０が設置されている。
【００３０】
また、貯水タンク１０の左右方向側の側面部２８は、外側側面部２８ａ、内側側面部２８ｂとから構成されている。内側側面部２８ｂは排水トラップ管路１４の近傍に位置しており、外側側面部２８ａは便器本体２の側壁近傍に位置している。外側側面部２８ａ及び内側側面部２８ｂは排水トラップ管路１４よりも上方に延在しており、上面部２６と連続している。なお、本発明の一実施形態においては、上面部２６は側面部２８と一体的となるように形成されているが、これに限るものではなく、別体として構成してもよい。
【００３１】
また、貯水タンク１０の底面部３０は外側側面部２８ａと連続する第１底面部３０ａと、内側側面部２８ｂと連続し、且つ第１底面部３０ａよりも下方に位置する第２底面部３０ｂと、左右方向の２つの内側側面部２８ｂを繋ぎ、排水トラップ管路１４の上方に位置する第３底面部３０ｃと、から構成される。
【００３２】
また、貯水タンク１０において、満水時の状態では、洗浄水が排水トラップ管路１４の上方まで貯水され、水位ＷＬ１の位置まで洗浄水が貯水される。すなわち、排水トラップ管路１４の左右方向及び上方に洗浄水が位置することとなる。
【００３３】
排水トラップ管路１４の上方には、板状に形成された支持部材３２が設けられている。この支持部材３２と、第３底面部３０ｃとが当接することにより、貯水タンク１０を排水トラップ管路１４の上方で支持することが可能となる。本発明の一実施形態においては、排水トラップ管路１４と一体に形成した支持脚３６の上方に支持部材３２を設けた形態を示したが、これに限るものではなく、支持部材３２が排水トラップ管路１４の上方に位置するように構成できればよい。
【００３４】
さらに、支持部材３２及び第３底面部３０ｃは左右方向の中心線（ＩＩ−ＩＩ）近傍で上方に凸状となるように形成されている。これにより、支持部材３２と第３底面部が嵌まり合い、貯水タンク１０を確実に支持することができる。
【００３５】
このように構成された、本発明の一実施形態における貯水タンク１０においては、排水トラップ管路１４の左右方向及び上方を覆うように構成されているため、排水トラップ管路１４の左右方向のスペースを有効に活用することができる。また、排水トラップ管路１４の左右方向及び上方に洗浄水が位置するため、貯水タンク１０の左右方向で洗浄水の重量が発生するため、支持部材３２を支点として、重心バランスを安定させることができる。
【００３６】
さらに、排水トラップ管路１４の左右方向における側方の近傍には、内側側面部２８ｂが形成されているため、重心バランスが不安定となってしまっても排水トラップ管路１４が貯水タンク１０の動きを規制することができるため、貯水タンク１０が大きく動くことを抑制することができる。
【００３７】
また、外側側面部２８ａ及び内側側面部２８ｂは床面よりも上方まで延在するように構成されおり、底面部３０のうち最も低い第２底面部３０ｂは床面よりも上方に位置している。この第２側面部３０ｂには、水抜き部３２が形成されており、貯水タンク１０の水抜き作業を行う際などには、水抜き部３２から水を抜くことができる。すなわち、最も低い第２底面部３０ｂに水抜き部が形成されているため、貯水タンク１０の内部に残水が発生することを抑制することができる。
【００３８】
また、図３及び図４に示すように、貯水タンク１０の上面部２６の上方には、ポンプ本体２０が載置されている。ポンプ本体２０は支持部材３２の上方に位置するように配置される。一般的には、洗浄機能部（便器本体や局部洗浄装置に、給水又は給電するための関連部品）において、ポンプ本体２０は他の構成部品よりも重量が大きくなるため、本発明の一実施形態においては、ポンプ本体２０と支持部材３２によって貯水タンク１０を保持することが可能となる。
【００３９】
さらに、ポンプ本体２０は第１吸入口３８及び第２吸入口４０と接続されている。第１吸入口３８は貯水タンク１０の右側（図３参照）の第２底面部３０ｂに位置し、第２吸入口４０は貯水タンク１０の左側（図３参照）の第２底面部３０ｂに位置する。
【００４０】
洗浄時に満水水位ＷＬ１から水位ＷＬ２まで低下すると、貯水タンク１０の左右方向のそれぞれに洗浄水が独立して存在することとなるが、第１吸入口３８及び第２吸入口４０によって左右方向のそれぞれの洗浄水を便器本体２に送水することが可能となる。これにより、左右両方向の水位を低下させるため、水位低下に伴う重心バランスの変化を抑制することができる。なお、本発明の一実施形態における水洗大便器１において、ポンプ本体２０から第１吸入口３８及び第２吸入口４０に延びる流路は分岐するように構成されているが、これに限るものではない。
【００４１】
また、本発明の一実施形態においては、貯水タンク１０の左右方向の貯水容量がそれぞれ異なり、貯水タンク１０の右側（図３参照）の貯水容量のほうが、貯水タンク１０の左側（図３参照）の貯水容量よりも大きい。具体的には、貯水タンク１０の右側（図３参照）の側面部２８は、貯水タンク１０の左側（図３参照）の側面部２８よりも下方に延在している。
【００４２】
一方、貯水タンク１０の上面部２６に設置されたポンプ本体２０は、支持部材３２の上方に位置するように配置され、且つ左右方向の中心線（ＩＩ−ＩＩ）よりも左側（図３参照）に配置されている。本実施形態においては、ポンプ本体２０の全体が左右方向の中心線よりも左側（図３参照）に位置しているが、ポンプ本体２０の大部分（ポンプ本体２０の左右方向の半分以上）が左側（図３参照）に位置するように構成することも好ましい。当業者は貯水タンク１０の左右方向の貯水量の差に応じて適宜変更することができる。
【００４３】
さらに、本発明の一実施形態においては、貯水タンク１０の左側（図３参照）の第２底面部３０ｂ及び貯水タンク１０の右側（図３参照）の第２底面部３０ｂには、水抜き部３０ｂが設けられている。このように構成された本発明の一実施形態においては、左右方向のいずれからも水を抜くことができるため、確実に残水が発生することを抑制することができる。
【００４４】
以上、本発明の実施形態を詳述したがこれはあくまで一例示であり、本発明はその趣旨を逸脱しない範囲において種々変更を加えた形態で構成可能である。
【符号の説明】
【００４５】
Ｄ      排水管
１      水洗大便器
２      便器本体
２ａ    取付フレーム
２ｂ    水受けトレイ
４      便座
６      カバー
８      局部洗浄装置
１０    貯水タンク
１０ａ  サイドパネル
１２    ボウル部
１４    排水トラップ管路
１６    ジェット吐水口
１６ａ  ジェット側給水路
１８    リム吐水口
２０    ポンプ本体
２２    ジェット側供給部材
２４    リム側供給部材
２６    上面部
２８    側面部
２８ａ  外側側面部
２８ｂ  内側側面部
３０    底面部
３０ａ  第１底面部
３０ｂ  第２底面部
３０ｃ  第３底面部
３２    支持部
３４    水抜き部
３６    支持脚
３８    第１吸入口
４０    第２吸入口
【図１】
2019173315.tif 000003
【図２】
2019173315.tif 000004
【図３】
2019173315.tif 000005
【図４】
2019173315.tif 000006
【図５】
2019173315.tif 000007